(57)【要約】【課題】複数の画像を設定された時間で切り替えて表示する際に、文字を含む画像を見る者に対して画像内の文字の視認が容易となるようにする。【解決手段】表示制御装置１０は、画像形成装置１０がスキャンした原稿の画像データを取得する。表示制御装置１０は、取得した画像データが示す画像の文字領域と文字サイズを検知し、検知した文字サイズが予め定められた閾値未満である場合、表示時間の延長の設定を行うためのＧＵＩを表示する。表示制御部１０は、表示時間の延長の設定が行われた場合、取得した画像データが示す画像が予め定められた表示時間より長い時間で表示されるように、取得した画像データが示す画像に対応した映像信号を表示装置３０へ出力し、表示装置３０は、表示制御装置１０から出力された映像信号が示す画像を表示する。【選択図】図１
2019211595.tif 000002
【特許請求の範囲】
【請求項１】
画像を取得する取得手段と、
前記取得手段が取得した画像を複数記憶する記憶手段と、
前記記憶手段に記憶されている画像において表示装置に表示させる画像に含まれる文字のサイズを認識する認識手段と、
前記記憶手段に記憶されている複数の画像を設定された時間で切り替えて表示装置に表示させる手段であって、前記表示装置に表示させる画像の表示態様を前記認識手段が認識した当該画像に含まれる文字のサイズに応じて決定し、決定した表示態様で当該画像を表示させる表示制御手段と
を備える表示制御装置。
【請求項２】
前記表示態様は前記画像の表示時間である請求項１に記載の表示制御装置。
【請求項３】
前記表示制御手段は、前記認識手段が認識したサイズが予め定められた閾値未満である場合、当該閾値以上である場合より前記表示時間を長くする
請求項２に記載の表示制御装置。
【請求項４】
前記認識手段は、前記表示装置に表示させる画像において文字が含まれる領域の面積を認識し、
前記表示制御手段は、前記認識手段が認識したサイズが予め定められた閾値未満であり、且つ、前記表示装置に表示させる画像全体に対する前記認識手段が認識した前記面積の割合が、予め定められた割合未満である場合、当該割合以上である場合より前記表示時間を長くする
請求項２に記載の表示制御装置。
【請求項５】
前記認識手段は、前記表示装置に表示させる画像に含まれる文字数を認識し、
前記表示制御手段は、前記認識手段が認識したサイズが予め定められた閾値未満であり、且つ、前記認識手段が認識した文字数が予め定められた閾値以上である場合、前記認識手段が認識した文字数が予め定められた閾値未満である場合より前記表示時間を長くする
請求項２に記載の表示制御装置。
【請求項６】
前記表示態様は、前記表示装置に表示させる画像の拡大である
請求項１に記載の表示制御装置。
【請求項７】
前記認識手段は、前記表示装置に表示させる画像において文字が含まれる文字領域を認識し、
前記文字領域の画像を生成する生成手段を有し、
前記表示制御手段は、前記文字領域の画像を拡大して前記表示装置に表示させる
請求項６に記載の表示制御装置。
【請求項８】
前記表示態様は、前記表示装置に表示させる画像の拡大及びスクロールである
請求項６に記載の表示制御装置。
【請求項９】
コンピュータを、
画像を取得する取得手段と、
前記取得手段が取得した画像を複数記憶する記憶手段に記憶されている画像において表示装置に表示させる画像に含まれる文字のサイズを認識する認識手段と、
前記記憶手段に記憶されている複数の画像を設定された時間で切り替えて表示装置に表示させる手段であって、前記表示装置に表示させる画像の表示態様を前記認識手段が認識
した当該画像に含まれる文字のサイズに応じて決定し、決定した表示態様で当該画像を表示させる表示制御手段
として機能させるためのプログラム。
【請求項１０】
原稿から画像を読み取る読取手段と、
前記読取手段が読み取った画像を出力する出力手段とを有する読取装置と、
前記出力手段が出力した画像を取得する取得手段と、
前記取得手段が取得した画像を複数記憶する記憶手段と、
前記記憶手段に記憶されている画像において表示装置に表示させる画像に含まれる文字のサイズを認識する認識手段と、
前記記憶手段に記憶されている複数の画像を設定された時間で切り替えて表示装置に表示させる手段であって、前記表示装置に表示させる画像の表示態様を前記認識手段が認識した当該画像に含まれる文字のサイズに応じて決定し、決定した表示態様で当該画像を表示させる表示制御手段と
有する表示制御装置と
を備える表示システム。
【請求項１１】
画像を取得する取得手段と、
前記取得手段が取得した画像を複数記憶する記憶手段と、
前記記憶手段に記憶されている画像において表示装置に表示させる画像に含まれる文字数を認識する認識手段と、
前記記憶手段に記憶されている複数の画像を切り替えて 表示装置に表示させる手段であって、前記表示装置に表示させる画像の表示態様を前記認識手段が認識した当該画像に含まれる文字数に応じて決定し、決定した表示態様で当該画像を表示させる表示制御手段と
を備える表示制御装置。
【発明の詳細な説明】
【技術分野】
【０００１】
本発明は、表示制御装置、プログラム及び表示システムに関する。
【背景技術】
【０００２】
画像形成装置で読み取った原稿をデジタルサイネージ装置で表示する発明として、特許文献１に開示された発明がある。この発明に係る画像形成装置は、原稿を読み取って生成した複数の画像データを記憶する。また、この画像形成装置は、複数の画像データを表示する際のレイアウト、表示の時間間隔、表示順番などの表示態様をユーザの操作に応じて設定し、設定した表示態様を示す番組情報を記憶する。画像形成装置は、記憶した画像データと番組情報をデジタルサイネージ装置へ送信し、デジタルサイネージ装置は、画像形成装置が送信した画像データと番組情報を受信する。デジタルサイネージ装置は、受信した画像データが示す画像を番組情報に従って表示する。
【先行技術文献】
【特許文献】
【０００３】
【特許文献１】特開２０１６−９６５１０号公報
【発明の概要】
【発明が解決しようとする課題】
【０００４】
デジタルサイネージ装置においては、複数の画像が設定された表示時間で順次表示されていく。設定された表示時間で画像が表示されている状態においては、例えば、表示された画像に含まれる文字のサイズが小さい場合や文字数が多い場合、表示された画像を見る者が設定された表示時間内で画像内の文字を読み取れない虞がある。
【０００５】
本発明は、複数の画像を設定された時間で切り替えて表示する際に、文字を含む画像を見る者に対して画像内の文字の視認が容易となるようにすることを目的とする。
【課題を解決するための手段】
【０００６】
本発明の請求項１に係る表示制御装置は、画像を取得する取得手段と、前記取得手段が取得した画像を複数記憶する記憶手段と、前記記憶手段に記憶されている画像において表示装置に表示させる画像に含まれる文字のサイズを認識する認識手段と、前記記憶手段に記憶されている複数の画像を設定された時間で切り替えて表示装置に表示させる手段であって、前記表示装置に表示させる画像の表示態様を前記認識手段が認識した当該画像に含まれる文字のサイズに応じて決定し、決定した表示態様で当該画像を表示させる表示制御手段とを備える。
【０００７】
本発明の請求項２に係る表示制御装置においては、前記表示態様は前記画像の表示時間である。
【０００８】
本発明の請求項３に係る表示制御装置においては、前記表示制御手段は、前記認識手段が認識したサイズが予め定められた閾値未満である場合、当該閾値以上である場合より前記表示時間を長くする。
【０００９】
本発明の請求項４に係る表示制御装置においては、前記認識手段は、前記表示装置に表示させる画像において文字が含まれる領域の面積を認識し、前記表示制御手段は、前記認識手段が認識したサイズが予め定められた閾値未満であり、且つ、前記表示装置に表示させる画像全体に対する前記認識手段が認識した前記面積の割合が、予め定められた割合未
満である場合、当該割合以上である場合より前記表示時間を長くする。
【００１０】
本発明の請求項５に係る表示制御装置においては、前記認識手段は、前記表示装置に表示させる画像に含まれる文字数を認識し、前記表示制御手段は、前記認識手段が認識したサイズが予め定められた閾値未満であり、且つ、前記認識手段が認識した文字数が予め定められた閾値以上である場合、前記認識手段が認識した文字数が予め定められた閾値未満である場合より前記表示時間を長くする。
【００１１】
本発明の請求項６に係る表示制御装置においては、前記表示態様は、前記表示装置に表示させる画像の拡大である。
【００１２】
本発明の請求項７に係る表示制御装置においては、前記認識手段は、前記表示装置に表示させる画像において文字が含まれる文字領域を認識し、前記文字領域の画像を生成する生成手段を有し、前記表示制御手段は、前記文字領域の画像を拡大して前記表示装置に表示させる。
【００１３】
本発明の請求項８に係る表示制御装置においては、前記表示態様は、前記表示装置に表示させる画像の拡大及びスクロールである。
【００１４】
本発明の請求項９に係るプログラムは、コンピュータを、画像を取得する取得手段と、前記取得手段が取得した画像を複数記憶する記憶手段に記憶されている画像において表示装置に表示させる画像に含まれる文字のサイズを認識する認識手段と、前記記憶手段に記憶されている複数の画像を設定された時間で切り替えて表示装置に表示させる手段であって、前記表示装置に表示させる画像の表示態様を前記認識手段が認識した当該画像に含まれる文字のサイズに応じて決定し、決定した表示態様で当該画像を表示させる表示制御手段として機能させるためのプログラムである。
【００１５】
本発明の請求項１０に係る表示システムは、原稿から画像を読み取る読取手段と、前記読取手段が読み取った画像を出力する出力手段とを有する読取装置と、前記出力手段が出力した画像を取得する取得手段と、前記取得手段が取得した画像を複数記憶する記憶手段と、前記記憶手段に記憶されている画像において表示装置に表示させる画像に含まれる文字のサイズを認識する認識手段と、前記記憶手段に記憶されている複数の画像を設定された時間で切り替えて表示装置に表示させる手段であって、前記表示装置に表示させる画像の表示態様を前記認識手段が認識した当該画像に含まれる文字のサイズに応じて決定し、決定した表示態様で当該画像を表示させる表示制御手段と有する表示制御装置とを備える。
【００１６】
本発明の請求項１１に係る表示制御装置は、画像を取得する取得手段と、前記取得手段が取得した画像を複数記憶する記憶手段と、前記記憶手段に記憶されている画像において表示装置に表示させる画像に含まれる文字数を認識する認識手段と、前記記憶手段に記憶されている複数の画像を切り替えて表示装置に表示させる手段であって、前記表示装置に表示させる画像の表示態様を前記認識手段が認識した当該画像に含まれる文字数に応じて決定し、決定した表示態様で当該画像を表示させる表示制御手段とを備える。
【発明の効果】
【００１７】
本発明の請求項１に係る表示制御装置によれば、複数の画像を切り替えて表示する際に、文字を含む画像を見る者に対して画像内の文字の視認が容易となる。
本発明の請求項２に係る表示制御装置によれば、表示する画像に含まれる文字のサイズに応じて画像の表示時間を変更し、文字の視認を容易とすることができる。
本発明の請求項３に係る表示制御装置によれば、表示する画像に含まれる文字のサイズ
が小さい場合、画像の表示時間を長くし、文字の視認を容易とすることができる。
本発明の請求項４に係る表示制御装置によれば、表示する画像に含まれる文字の領域が表示する画像全体に対して予め定められた割合未満である場合、画像の表示時間を長くし、文字の視認を容易とすることができる。
本発明の請求項５に係る表示制御装置によれば、表示する画像に含まれる文字数が多い場合、画像の表示時間を長くし、文字の視認を容易とすることができる。
本発明の請求項６に係る表示制御装置によれば、表示する画像に含まれる文字のサイズに応じて表示する画像を拡大し、文字の視認を容易とすることができる。
本発明の請求項７に係る表示制御装置によれば、表示する画像に含まれる文字のサイズに応じて表示する画像の文字領域を拡大し、文字の視認を容易とすることができる。
本発明の請求項８に係る表示制御装置によれば、表示する画像に含まれる文字のサイズに応じて表示する画像を拡大してスクロールし、文字の視認を容易とすることができる。
本発明の請求項９に係るプログラムによれば、複数の画像を切り替えて表示する際に、文字を含む画像を見る者に対して画像内の文字の視認が容易となる。
本発明の請求項１０に係る表示システムによれば、複数の画像を切り替えて表示する際に、文字を含む画像を見る者に対して画像内の文字の視認が容易となる。
本発明の請求項１１に係る表示制御装置によれば、複数の画像を切り替えて表示する際に、文字を含む画像を見る者に対して画像内の文字の視認が容易となる。
【図面の簡単な説明】
【００１８】
【図１】本発明の一実施形態の表示システム１に係る装置を示した図。
【図２】表示制御装置１０のハードウェア構成を示した図。
【図３】表示制御装置１０の機能ブロック図。
【図４】制御部１０１が行う処理の流れを示したフローチャート。
【図５】表示制御装置１０が表示する画面の一例を示した図。
【図６】表示制御装置１０が表示する画面の一例を示した図。
【発明を実施するための形態】
【００１９】
［実施形態］
（全体構成）
図１は、本発明の一実施形態の表示システム１に係る装置を示した図である。表示システム１は、映像や文字を表示して広告の表示や情報発信を行う所謂デジタルサイネージのシステムである。通信回線２は、データ通信が行われる通信ネットワークであり、データ通信を行う複数のコンピュータ装置が接続される。通信回線２には、有線及び無線の通信ネットワークが含まれる。
【００２０】
画像形成装置２０は、用紙に画像を形成する画像形成機能、文書を読み取るスキャン機能、複写機能、ファクシミリ機能などを備えた所謂複合機であり、本発明に係る読取装置の一例である。画像形成装置２０は、通信回線２に接続されており、通信回線２を介して他のコンピュータ装置に接続し、データ通信を行う。本実施形態においては、画像形成装置２０は、スキャン機能で読み取った画像を示す画像データを、通信回線２を介して他のコンピュータ装置へ送信する機能を有する。画像形成装置２０は、通信回線２に複数接続可能であるが、図１においては、図面が煩雑になるのを防ぐため、一つの画像形成装置２０のみを示す。
【００２１】
表示装置３０は、例えば、液晶ディスプレイであり、本発明に係る表示装置の一例である。表示装置３０は、表示制御装置１０に接続され、表示制御装置１０から供給される映像信号が示す画像を表示する。なお、表示装置３０は、液晶ディスプレイに限定されるものではなく、プロジェクタや有機ＥＬディスプレイであってもよい。また、表示装置３０は、図１においては、図面が煩雑になるのを防ぐために一つの表示装置３０のみを示して
いるが、複数の表示装置３０を表示制御装置１０に接続することが可能である。
【００２２】
表示制御装置１０は、表示装置３０で表示する画像を示す映像信号を出力するコンピュータ装置であり、本発明に係る表示制御装置の一例である。表示制御装置１０は、通信回線２に接続されており、表示装置３０で表示する画像を示す画像データを、通信回線２を介して他のコンピュータ装置から取得する。表示制御装置１０は、取得した画像データが示す画像に対応した映像信号を表示装置３０へ出力し、当該画像を当該画像の内容に適した表示態様で表示装置３０に表示させる。表示制御装置１０は、複数の画像データを記憶し、各画像データの画像を各画像に定められた時間で切り替えて表示装置３０に表示させることができる。
【００２３】
表示システム１は、例えば、商店に設けられる。表示装置３０は、店の入り口又は店内に設置され、画像形成装置２０及び表示制御装置１０は、バックヤードに設置される。表示システム１においては、表示装置３０で表示する広告や情報が記載された原稿が画像形成装置２０で読み取られ、読み取られた原稿を示す画像データが表示制御装置１０に記憶され、記憶された画像データが示す画像が表示装置３０で表示される。例えば、広告の原稿を画像形成装置２０で読み取れば、読み取った広告を店の入り口又は店内に表示できる。表示制御装置１０は、複数の画像データを記憶している場合、複数の画像を切り替えて表示装置３０に表示させることができる。
【００２４】
（表示制御装置１０の構成）
図２は、表示制御装置１０のハードウェア構成の一例を示したブロック図である。信号出力部１０６は、表示装置３０で表示する画像を示す映像信号を出力する。通信部１０５は、通信回線２を介したデータ通信を行う通信インターフェースとして機能し、通信回線２を介して画像形成装置２０と通信を行う。記憶部１０２は、例えば不揮発性メモリを有しており、外部装置から取得した画像データを記憶する。
【００２５】
操作部１０４は、表示制御装置１０を操作するための複数のボタンを備える。また、操作部１０４は、液晶ディスプレイと、液晶ディスプレイの表示面において指の接触を検出するセンサとを組み合わせたタッチパネルを備えている。タッチパネルは、表示制御装置１０を操作するためのＧＵＩ（Graphical User Interface）の画面を表示する。なお、本実施形態においては、表示制御装置１０はタッチパネルを有し、タッチパネルとボタンで表示制御装置１０を操作可能であるが、タッチパネルを備えず、液晶ディスプレイでＧＵＩの画面を表示し、ボタンで表示制御装置を操作する構成であってもよい。
【００２６】
制御部１０１は、ＣＰＵ（Central Processing Unit）、ＲＡＭ（Random Access Memory）及びＲＯＭ（Read Only Memory）を有している。表示制御装置１０において実現する機能は、ＲＯＭに記憶されているプログラム（ソフトウェア）をＣＰＵ、ＲＡＭなどのハードウェア上に読み込ませることでＣＰＵが演算を行い、記憶部１０２の制御、通信部１０５の制御、信号出力部１０６の制御、ＲＡＭ及び記憶部１０２におけるデータの読み出し及び／又は書き込みの制御を行うことで実現される。ＲＯＭに記憶されＣＰＵに実行されるプログラムは、本発明に係るプログラムの一例である。
【００２７】
（表示制御装置１０の機能構成）
図３は、表示制御装置１０において実現する機能のうち、本発明に係る特徴的な機能の構成を示した機能ブロック図である。
取得部１００１は、通信部１０５を制御し、外部装置から画像データを取得する。取得部１００１は、本発明に係る取得手段の一例である。取得部１００１は、取得した画像データを記憶部１０２に記憶させる。認識部１００２は、取得部１００１が取得した画像データが示す画像に対して文字認識処理を行い、画像内において文字がある文字領域、文字
領域の面積、文字領域内の文字のサイズを検知する。認識部１００２は、本発明に係る認識手段の一例である。表示制御部１００３は、記憶部１０２に記憶された画像データが示す画像の表示態様を、認識部１００２の認識結果に応じて設定する。また、表示制御部１００３は、設定した表示態様で表示装置３０に当該画像が表示されるように、信号出力部１０６を制御して映像信号を出力する。生成部１００４は、認識部１００２が認識した文字領域の画像を生成する。生成部１００４は、本発明に係る生成手段の一例である。
【００２８】
（実施形態の動作例）
次に本実施形態の動作例について説明する。表示システム１のユーザは、画像形成装置２０を操作し、表示装置３０で表示する広告の原稿をスキャン機能により画像形成装置２０に読み取らせる。画像形成装置２０は、読み取った原稿を示す画像データを生成する。ユーザは、画像形成装置２０が原稿の読み取りが終了すると、生成された画像データを表示制御装置１０へ送る操作を行う。画像形成装置２０は、この操作が行われると、生成した画像データを表示制御装置１０へ送信する。表示制御装置１０（取得部１００１）は、画像形成装置２０から送信された画像データを取得する。
【００２９】
図４は、画像データを取得した表示制御装置１０が行う処理の流れの一例を示したフローチャートである。制御部１０１（認識部１００２）は、画像データを取得すると、取得した画像データが示す画像について文字認識を行い、画像内において文字がある文字領域と、文字領域内の文字のサイズを検知する（ステップＳ１）。ステップＳ１の処理を終えた制御部１０１は、検知した文字サイズのうち、最小の文字サイズが予め定められた閾値以上であるか判断する（ステップＳ２）。
【００３０】
制御部１０１（表示制御部１００３）は、検知した最小の文字サイズが予め定められた閾値以上である場合（ステップＳ２でＹＥＳ）、取得した画像データが示す画像に対して表示装置３０で表示する表示時間を設定する（ステップＳ３）。ここで制御部１０１が設定する表示時間は、画像データが示す画像の表示態様の一例である。制御部１０１は、ステップＳ３において、表示時間を予め定められた第１時間に設定する。
【００３１】
制御部１０１（表示制御部１００３）は、検知した最小の文字サイズが予め定められた閾値未満である場合（ステップＳ２でＮＯ）、検知した文字領域の面積が画像全体に対して占める割合が予め定められた割合以下であるか判断する（ステップＳ４）。制御部１０１は、検知した文字領域の面積が画像全体に対して占める割合が予め定められた割合以下ではない場合（ステップＳ４でＮＯ）、操作部１０４のタッチパネルを制御し、表示時間の延長の設定を行うためのＧＵＩを表示する（ステップＳ５）。
【００３２】
図５は、ステップＳ５で表示されるＧＵＩの一例を示した図である。制御部１０１は、ユーザが図５の画面に対してタッチパネルで行った操作に応じて、取得した画像データが示す画像の表示態様を設定する（ステップＳ６）。具体的には、制御部１０１は、表示時間延長のチェックボックスＣＢ１がチェックされ、ＯＫボタンを押す操作が行われると、表示態様として、取得した画像データが示す画像の表示時間を前述の第１時間より長い第２時間に設定する。制御部１０１は、表示時間延長のチェックボックスがチェックされていない状態でＯＫボタンを押す操作が行われると、表示態様として、取得した画像データが示す画像の表示時間を前述の第１時間に設定する。
【００３３】
制御部１０１は、検知した文字領域が画像全体に対して占める割合が予め定められた割合以下である場合（ステップＳ４でＹＥＳ）、操作部１０４のタッチパネルを制御し、表示時間の延長又は文字領域の拡大の設定を行うためのＧＵＩを表示する（ステップＳ７）。
【００３４】
図６は、ステップＳ７で表示されるＧＵＩの一例を示した図である。制御部１０１は、ユーザが図６の画面に対してタッチパネルで行った操作に応じて、取得した画像データが示す画像の表示態様を設定する（ステップＳ８）。具体的には、制御部１０１は、表示時間延長のラジオボタンＲＢ１がチェックされ、ＯＫボタンを押す操作が行われると、表示態様として、取得した画像データが示す画像の表示時間を前述の第２時間に設定する。
【００３５】
制御部１０１は、文字領域拡大のラジオボタンＲＢ２がチェックされると、図６に示したように、文字領域を拡大したときのプレビューを表示し、ＯＫボタンを押す操作が行われると、検知した文字領域を拡大した画像データを生成部１００４が生成し、表示制御部１００３が表示態様として文字領域の拡大表示を設定する。
【００３６】
制御部１０１は、標準表示のラジオボタンＲＢ３がチェックされ、ＯＫボタンを押す操作が行われると、表示態様として、取得した画像データが示す画像の表示時間を前述の第１時間に設定する。
【００３７】
制御部１０１（表示制御部１００３）は、取得した画像データが示す画像の表示態様の設定を終えると、取得した画像データが示す画像が設定した表示態様で表示されるように映像信号を出力する。例えば、制御部１０１は、取得した画像データが示す画像の表示態様について、ステップＳ６で第１時間に設定した場合、当該画像の映像信号を表示装置３０に出力し、出力を開始してから第１時間が経過すると、次に表示する画像の映像信号の表示装置３０への出力を開始する。制御部１０１は、取得した画像データが示す画像の表示態様について、ステップＳ６で第２時間に設定した場合、当該画像の映像信号を表示装置３０に出力し、出力を開始してから第２時間が経過すると、次に表示する画像の映像信号の表示装置３０への出力を開始する。
【００３８】
制御部１０１は、取得した画像データが示す画像の表示態様について、ステップＳ８で第２時間に設定した場合、当該画像の映像信号を表示装置３０に出力し、出力を開始してから第２時間が経過すると、次に表示する画像の映像信号の表示装置３０への出力を開始する。制御部１０１は、取得した画像データが示す画像の表示態様について、ステップＳ８で文字領域の拡大表示を設定した場合、当該画像の映像信号を表示装置３０に出力し、出力を開始してから第１時間が経過すると、拡大した文字領域の画像の映像信号を表示装置３０に出力し、予め定められた時間が経過すると、次に表示する画像の映像信号の表示装置３０への出力を開始する。制御部１０１は、取得した画像データが示す画像の表示態様について、ステップＳ８で第１時間に設定した場合、当該画像の映像信号を表示装置３０に出力し、出力を開始してから第１時間が経過すると、次に表示する画像の映像信号の表示装置３０への出力を開始する。
【００３９】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４０】
上述した実施形態においては、表示制御装置１０は、画像形成装置２０から画像データを取得しているが、原稿の画像を読み取り、読み取った画像の画像データを生成するスキャナ装置から画像データを取得してもよい。また、表示制御装置１０は、表示装置３０で表示する画像を示す画像データを、通信回線２に接続されたパーソナルコンピュータから取得してもよい。
【００４１】
上述した実施形態においては、図５の画面で表示時間延長を設定した場合、画像データ
が示す画像の表示時間は、予め定められた第２時間に設定されるが、例えば、表示時間を秒単位で設定するＧＵＩを設け、ユーザが第２時間の長さを設定できる構成としてもよい。
【００４２】
上述した実施形態においては、検知した文字領域の面積が画像全体に対して占める割合が予め定められた割合以下である場合、表示態様として、図６の画面で表示時間延長、文字領域拡大、標準表示のいずれかを選択する構成となっているが、実施形態の構成に限定されるものではない。例えば、制御部１０１は、操作部１０４のタッチパネルを制御し、表示時間延長のチェックボックスと文字領域拡大のチェックボックスを有するＧＵＩを表示する。
【００４３】
制御部１０１は、表示時間延長のチェックボックスがチェックされ、ＯＫボタンを押す操作が行われると、表示態様として、取得した画像データが示す画像の表示時間を前述の第２時間に設定する。制御部１０１は、文字領域拡大のチェックボックスがチェックされ、ＯＫボタンを押す操作が行われると、検知した文字領域を拡大した画像データを生成し、表示態様として文字領域の拡大表示を設定する。制御部１０１は、表示時間延長のチェックボックスと、文字領域拡大のチェックボックスの両方がチェックされ、ＯＫボタンを押す操作が行われると、表示態様として、取得した画像データが示す画像の表示時間を前述の第２時間に設定し、検知した文字領域を拡大した画像データを生成し、文字領域の拡大表示を設定する。制御部１０１は、表示態様としてこれらの設定を行うと、取得した画像データが示す画像の表示について、まず、当該画像の映像信号を表示装置３０に出力し、出力を開始してから第２時間が経過すると、拡大した文字領域の画像の映像信号を表示装置３０に出力し、予め定められた時間が経過すると、次に表示する画像の映像信号の表示装置３０への出力を開始する。制御部１０１は、表示時間延長のチェックボックスと文字領域拡大のチェックボックスの両方がチェックされていない状態でＯＫボタンを押す操作が行われると、表示態様として、取得した画像データが示す画像の表示時間を前述の第１時間に設定する。
【００４４】
上述した実施形態においては、制御部１０１は、文字サイズを検知しているが、文字サイズに替えて文字数を検知する構成としてもよい。制御部１０１は、ステップＳ１において、文字領域と文字数を検知する構成の場合、ステップＳ２において、文字数が予め定められた閾値未満であるか判断する。制御部１０１は、文字数が予め定められた閾値未満である場合、処理の流れをステップＳ３へ移し、画像データが示す画像の表示時間を予め定められた第１時間に設定する。制御部１０１は、文字数が予め定められた閾値以上である場合、処理の流れをステップＳ４へ移す。
【００４５】
本発明においては、文字領域を拡大して表示する際には、拡大した文字領域の画像を画像データが示す画像に重畳して表示してもよい。また、文字領域を拡大して表示する際には、例えば画面を２つの領域に分割し、一方の領域には画像データが示す画像全体を表示し、他方の領域には、拡大した文字領域の画像を表示する構成としてもよい。
【００４６】
上述した実施形態においては、文字領域拡大のラジオボタンＲＢ２がチェックされた場合、文字領域を拡大して表示をしているが、文字領域を拡大して表示する構成は、実施形態の構成に限定されるものではない。例えば、制御部１０１は、文字領域拡大のラジオボタンＲＢ２がチェックされると、表示態様として、文字領域の拡大とスクロールを設定する。制御部１０１は、表示態様として文字領域の拡大とスクロールが設定されている画像データについては、例えば、当該画像データ示す画像を拡大し、拡大した画像をスクロールして表示する。この構成でも文字領域が拡大されて表示されることとなる。
【００４７】
制御部１０１は、画像を拡大及びスクロールして表示する場合、表示装置３０が縦長に
設置されており、表示する画像が横長の画像である場合、画像を表示装置３０の長手方向に拡大し、拡大した画像を横方向にスクロールして表示してもよい。また、制御部１０１は、画像を拡大及びスクロールして表示する場合、表示装置３０が横長に設置されており、表示する画像が縦長の画像である場合、画像を表示装置３０の長手方向に拡大し、拡大した画像を縦方向にスクロールして表示してもよい。この構成でも文字領域が拡大されて表示されることとなる。
【００４８】
上述した実施形態においては、操作部１０４への操作で画像の表示態様を設定しているが、画像の表示態様を設定する構成は、実施形態の構成に限定されるものではない。例えば、通信回線２に接続されたパーソナルコンピュータ又は表示制御装置１０に直接接続されたパーソナルコンピュータを表示制御装置１０のコントローラとしてもよい。この構成の場合、表示制御装置１０は、図５、６の画面をパーソナルコンピュータに表示させ、パーソナルコンピュータで表示された画面に対して行われた操作に応じて、表示装置３０に表示させる画像の表示態様を設定する。
また、本発明においては、表示制御装置１０と表示装置３０とが一体化した構成としてもよい。表示制御装置１０と表示装置３０とが一体化した構成であり、表示装置３０がタッチパネルを有する構成の場合、図６、７の画面を表示装置３０で表示し、タッチパネルで表示制御装置１０を操作してもよい。また、表示制御装置１０と表示装置３０とが一体化した構成であり、表示装置３０がタッチパネルを有していない構成の場合、図６、７の画面を表示装置３０で表示し、例えばマウスやキーボードで表示制御装置１０を操作してもよい。
本発明においては、図６、７に例示した画面は、表示装置３０の画面の全面で表示してもよく、また、画面の一部の領域で表示してもよい。
また、本発明においては、表示制御装置１０は、画像を読み取った画像形成装置２０に図５、６の画面を表示させ、図５、６の画面に対して画像形成装置２０で行われた操作に応じて、表示態様の設定を行うようにしてもよい。
【００４９】
上述した実施形態においては、表示時間の延長についてラジオボタンＲＢ１をチェックしてＯＫのボタンを操作すると、表示時間を第２時間に設定しているが、表示時間を延長するＧＵＩは、実施形態の構成に限定されるものではない。例えば、表示時間の延長について、「ＹＥＳ」のボタンと「ＮＯ」のボタンを表示し、ＹＥＳのボタンが操作された場合、表示時間を第２時間にする構成としてもよい。
【００５０】
本発明に係るプログラムは、磁気記録媒体（磁気テープ、磁気ディスク（ＨＤＤ（HardDisk Drive）、ＦＤ（Flexible Disk））など）、光記録媒体（光ディスクなど）、光磁気記録媒体、半導体メモリなどのコンピュータ読取り可能な記録媒体に記憶した状態で提供し、インストールしてもよい。また、通信回線２を介してプログラムをダウンロードしてインストールしてもよい。
【符号の説明】
【００５１】
１…表示システム、２…通信回線、１０…表示制御装置、２０…画像形成装置、３０…表示装置、１０１…制御部、１０２…記憶部、１０４…操作部、１０５…通信部、１０６…信号出力部、１００１…取得部、１００２…認識部、１００３…表示制御部、１００４…生成部。
【図１】
2019211595.tif 000003
【図２】
2019211595.tif 000004
【図３】
2019211595.tif 000005
【図４】
2019211595.tif 000006
【図５】
2019211595.tif 000007
【図６】
2019211595.tif 000008